(57)【特許請求の範囲】
【請求項１】
レンズ及び前記レンズの外表面に送気及び送液を行うための洗浄用ノズルを備える先端部を有し、体腔内に挿入される挿入部と、
前記挿入部の手元側に連結され、送気と送液とを切り替えるための切替弁を有する操作部と、
前記先端部から前記挿入部を介して前記操作部まで延出されるような所定の長さを有し、処置具を挿通可能な処置具挿通用チャンネルと、
前記洗浄用ノズルに連通され、前記洗浄用ノズルに気体及び液体を供給するための単一の通路を形成する中空体からなり、前記処置具挿通用チャンネルよりも長い送気送水管路と、
前記切替弁が介設され、前記送気送液管路に気体を供給するための送気管路と、
前記切替弁が介設され、前記送気送水管路に液体を供給するための送液管路と、
前記処置具挿通用チャンネルの手元側端部よりも手元側に設けられ、前記送気送液管路を前記送気管路及び前記送液管路に連通させる分岐路を形成する分岐部と、
を具備することを特徴とする内視鏡。
【請求項２】
前記分岐部は、パイプ状の本体管路と、前記本体管路の中途側部にその先端部が接合されている湾曲したパイプ状の分岐管路と、を有し、
前記本体管路と前記分岐管路とは、手元側において略平行に配置されている、
ことを特徴とする請求項１に記載の内視鏡。
【請求項３】
前記分岐管路の外径は、前記処置具挿通用チャンネルの外径以下の寸法である、
ことを特徴とする請求項２に記載の内視鏡。
【発明の詳細な説明】
【０００１】
【発明の属する技術分野】
本発明は、挿入部先端に設けられた対物レンズの外表面を洗浄するための洗浄用ノズルに接続された送気送液管路に分岐部を介して送気管路と送液管路を接続するようにした内視鏡に関する。
【０００２】
【従来の技術】
内視鏡の挿入部先端には対物レンズの外表面を洗浄するための洗浄用ノズルが設けられており、この洗浄用ノズルには気体を供給する送気管路と液体を供給する送液管路が一本の送気送液管路を介して接続される。例えば実願昭５８−３５２０４号の出願のもの及び実公平５−８９６４号公報に示される内視鏡では、送気管路を形成する送気チューブと、送液管路を形成する送液チューブが、いずれも挿入部内に配置され、それらが先端部付近で一本のパイプから成る送気送液管路に接続され、この一本の送気送液管路を通じて洗浄用ノズルに接続されている。
【０００３】
【発明が解決しようとする課題】
従来、内視鏡の挿入部先端に設けられた対物レンズの外表面を洗浄するための洗浄用ノズルに接続された送気管路と送液管路はいずれも挿入部内に配置され、また、先端部付近で分岐部を介して送気送液管路一本に束ねられ、洗浄用ノズルに接続されていた。この場合、送気管路と送液管路の両方が挿入部内に配置される。このため、その両方の管路のスペース分、挿入部内に設置スペースを広く占有してしまっていた。
【０００４】
また、挿入部内で送気管路と送液管路が分岐部を介して一本の送気送液管路にまとめられる構造であるため、挿入部内に分岐部や管路接続用の糸巻き部などを設置するスペースがさらに大きく必要となり、そのため、挿入部の径が太くなってしまっていた。
【０００５】
本発明は上記事情に着目してなされたもので、その目的とするところは、送気管路と送液管路の分岐部の挿入部及び操作部への組み込みが容易であり、これらを組み込む挿入部の細径化を図ることができる内視鏡を提供することにある。
【０００６】
【課題を解決するための手段および作用】
請求項１に係る発明は、レンズ及び前記レンズの外表面に送気及び送液を行うための洗浄用ノズルを備える先端部を有し、体腔内に挿入される挿入部と、前記挿入部の手元側に連結され、送気と送液とを切り替えるための切替弁を有する操作部と、前記先端部から前記挿入部を介して前記操作部まで延出されるような所定の長さを有し、処置具を挿通可能な処置具挿通用チャンネルと、前記洗浄用ノズルに連通され、前記洗浄用ノズルに気体及び液体を供給するための単一の通路を形成する中空体からなり、前記処置具挿通用チャンネルよりも長い送気送水管路と、前記切替弁が介設され、前記送気送液管路に気体を供給するための送気管路と、前記切替弁が介設され、前記送気送水管路に液体を供給するための送液管路と、前記処置具挿通用チャンネルの手元側端部よりも手元側に設けられ、前記送気送液管路を前記送気管路及び前記送液管路に連通させる分岐路を形成する分岐部と、を具備することを特徴とする内視鏡である。
【０００７】
この請求項１に係る発明は、送気送液管路と、送液管路及び送気管路とを接続する分岐部を、処置具挿通用チャンネルよりも挿入軸方向において手元側に位置させることにより、挿入部内には、洗浄用ノズルに接続する管路としては送気送液管路のみが存在することになり、送気管路と送液管路の両方が存在する場合に比較して挿入部径を小さくできる。
【０００８】
請求項２に係る発明は、前記分岐部は、パイプ状の本体管路と、前記本体管路の中途側部にその先端部が接合されている湾曲したパイプ状の分岐管路と、を有し、前記本体管路と前記分岐管路とは、手元側において略平行に配置されている、ことを特徴とする請求項１に記載の内視鏡である。
この請求項２に係る発明の作用は、請求項１に係る発明の作用に加え、分岐部がパイプ状部材であるため、その断面は円であり、同じく円の断面形状を有す他内蔵物と、円柱状の挿入部内で効率よくスペースを利用できる。
【０００９】
請求項３に係る発明は、前記分岐管路の外径は、前記処置具挿通用チャンネルの外径以下の寸法である、ことを特徴とする請求項２に記載の内視鏡である。
【００１０】
この請求項３に係る発明の作用は、請求項１、２に係る発明の作用に加えて、以下の作用を有する。すなわち、分岐部の前側の内蔵物は、ケーブル、ライトガイド、処置具挿通用チャンネル、送気送液管路であり、分岐部における内蔵物はケーブル、ライトガイド、分岐部を構成する本体管路、分岐管路である。本体管路とそれに接続される送気送液管路の太さは、ほぼ同じであるので、分岐管路の外径が処置具挿通用チャンネルの外径よりも小さく、かつ分岐部を処置具挿通用チャンネルより手元側に位置させた場合、処置具挿通用チャンネルが配される挿入部内の空間に、内蔵物挿入時には分岐管路を位置させながら挿入することができる。つまり、先端構成部材に送気送液管路、分岐部、送気管路、送液管路を含んだ全ての内蔵物を取り付けた後、挿入部を構成する可撓管の先端より全ての内蔵物を挿入できるので、分岐部を別体にして後から取り付けるといったように煩雑な作業をする必要が無く、組立が容易に行える。
【００１１】
【発明の実施の形態】
＜第１実施形態＞
図１乃至図８を参照して本発明の第１実施形態に係る内視鏡について説明する。
【００１２】
本実施形態は、請求項１〜３および付記項１〜６において述べられた発明の実施形態を示したものである。
【００１３】
（構成）
図１はビデオ式内視鏡システムの構成を概念的に示す説明図である。内視鏡システム１は内視鏡２、内視鏡用光源装置３及びビデオプロセッサ４を有し、ビデオプロセッサ４にはモニタ５、ＶＴＲデッキ６、ビデオディスク７及びビデオプリンタ８が接続されている。
【００１４】
上記内視鏡２は、挿入部１１、操作部１２、及びユニバーサルコード１３から成り、挿入部１１は、先端部１５、湾曲部１６、可撓管１７が、その順番に接続されて構成されている。
【００１５】
図２は、上記挿入部１１の先端部１５を前方より見た正面図である。先端部１５には、照明用レンズ２１、観察用レンズ２２、観察用レンズ２２の先端面の洗浄を行う洗浄用ノズル２３、後述する処置具挿通管路（チャンネル）２５の先端開孔２６が配設されている。
【００１６】
図３は、図２中のＪＤＫＬに沿う部分の縦断面図である。先端部１５は先端構成部材２７を有し、先端構成部材２７に電気的絶縁性の先端カバー２８を取り付けて構成されている。両者には先端カバー２８から先端構成部材２７にかけて連通する複数の孔が形成され、各孔には上述したような各種内蔵物が内嵌している。
【００１７】
洗浄用ノズル２３には、観察用レンズ２２の先端表面に向けて開口した噴出口３１が設けられており、この洗浄用ノズル２３は、先端構成部材２７に形成した孔３２を介して、送気送液管路３３に接続されている。送気送液管路３３は、チューブ状部材３４にて形成されており、チューブ状部材３４の前端はパイプ状部材３５を介して上記先端構成部材２７に形成した上記孔３２に接続されている。
【００１８】
図４は、図２中のＯＭに沿う部分の縦断面図である。先端構成部材２７及び先端カバー２８にわたって設けれられた処置具挿通孔３６に後続して、チャンネルパイプ３７を介して処置具挿通管路（チャンネル）２５が接続されている。この処置具挿通管路２５は可撓性のチューブ状部材３８にて形成されており、このチューブ状部材３８の、操作部１２内に位置する後端側では、図５中にて示されるように、吸引管路分岐部３９の先端に接続されている。
【００１９】
そして、吸引管路分岐部３９には吸引管路用チューブ４１と処置具挿入口４２が接続される。つまり、処置具挿通管路２５は、その吸引管路分岐部３９を介して、吸引管路用チューブ４１と処置具挿入口４２に分岐する。
【００２０】
また、吸引管路用チューブ４１は上記操作部１２内に設けられた吸引操作弁４３のシリンダ４４に接続されており、術者はその吸引操作ボタン４５を操作し、吸引管路を開くことにより、先端部１５に設けられた処置具挿通管路２５の先端開孔２６より吸引を行うことができる。
【００２１】
また、図５には、操作部１２内に組み込まれる各種の管路の配管構造が示されている。洗浄用ノズル２３に通じる送気送液管路３３を形成する一本のチューブ状部材３４の基端は、操作部１２内に導かれており、送気送液管路分岐部４６を介して送液管路を形成するチューブ４７の前端と、送気管路を形成するチューブ４８の前端とが接続されている。
【００２２】
送液管路用チューブ４７及び送気管路用チューブ４８の途中部分は共に操作部１２に設けられた送気送液切換え弁５０の送気送液シリンダ５１に接続されている。そして、送気送液切換え弁５０の操作ボタン５２を術者が操作することにより、送気送液切換え弁５０の切換え動作が行われ、選択的に送液管路用チューブ４７及び送気管路用チューブ４８を通じて、上記洗浄用ノズル２３より観察用レンズ２２の先端表面に向けての送液または送気が行われる。
【００２３】
図６で示すように、操作部１２内に配置される上記送気送液管路分岐部４６は、一つの前方接続端部５５と二股に分かれた二つの後方接続端部５６，５７を有しており、一直線的な一本のパイプ状部材によって本体管路５８を形成し、この本体管路５８の先端部と後端部によって、前方接続端部５５と一方の後方接続端部５６が形成されている。また、二つの後方接続端部５６，５７は平行に配置されている。他方の後方接続端部５７は先端部分を曲げたパイプ状部材５９にて形成され、その先端は上記本体管路５８の側部に接続されている。そして、前方接続端部５５には、送気送液管路３３を形成するチューブ状部材３４の後端が接続され、一方の後方接続端部５６には、送気管路用チューブ４８が接続され、他方の後方接続端部５７には、送液管路用チューブ４７が接続されている。また、各接続端部５５，５６，５７において、チューブ状部材３４、送液管路用チューブ４７、送気管路用チューブ４８の接続端部はその外周部を糸状部材６０にて締め付けることによりそれぞれが固定されている。
【００２４】
図５に示すように、上記吸引管路分岐部３９は、送気送液管路分岐部４６よりも先端側に位置して配置されており、よって、処置具挿通管路用チューブ状部材３４の後端は、送気送液管路分岐部４６よりも先端側に位置して配置される。送気送液管路分岐部４６が上記吸引管路分岐部３９、つまり、処置具挿通管路（処置具挿通用チャンネル）２５の後端よりも手元側に位置して配置されている。
【００２５】
図７は、挿入部１１の可撓管１７の途中部分を縦断して示した図であり、この図７で示すように、挿入部１１内には、内蔵物として、牽引ワイヤー６１、及びこの牽引ワイヤー６１を挿通案内するため、挿入部１１の内面壁に固定的に設置したワイヤーガイド６２の他、フリーな状態でそれぞれ配置される、先端部１５に組み込まれた撮像ユニット（図示せず）に接続されたケーブル６３、照明用レンズ２１に接続されたライトガイド６４、上記送気送液管路３３を形成するチューブ状部材３４、上記処置具挿通管路２５を形成するチューブ状部材３８がある。
【００２６】
上記牽引ワイヤー６１の後端は、操作部１２内に設置された図示しない牽引装置に連結され、術者が操作部１２に設けられる同じく図示しない湾曲操作ノブを操作することにより、牽引装置を操作して牽引ワイヤー６１を牽引し、挿入部１１の湾曲部１６を自由に湾曲させることができるようになっている。
【００２７】
上記送気送液管路分岐部４６の送液管路用チューブ４７に通じる分岐管路を形成するパイプ状部材５９の外径は処置具挿通管路２５を形成するチューブ状部材３８の外径よりも小さくなっている。また、上記分岐管路を形成するパイプ状部材５９の軸と、処置具挿通管路２５を形成するチューブ状部材３８の軸とは、略同軸的に位置するように配置されている。
【００２８】
上記内視鏡２のユニバーサルコード１３のコネクター６５は上記光源装置３に接続され、コネクター６５のライトガイド管部６６は、光源装置３の光源ランプ６７に集光レンズ６８を介して対向する。また、コネクター６５は、信号ケーブル７０を通じてビデオプロセッサ４に接続される。
【００２９】
（作用）
通常、組立の際には、挿入部１１の先端部１５に、挿入部１１に挿通する内蔵物を取り付けた状態で、各内蔵物を、先端側より湾曲部１６から可撓管１７に挿入しながら、先端部１５、湾曲部１６、可撓管１７を接続していく。まず、組立時に可撓管１７内に組み込む内蔵物としては、図８で示すように、撮像ユニットのケーブル６３、ライトガイド６４、送液管路用チューブ４７、送気管路用チューブ４８もしくは送気送液管路分岐部４６が挿入される。図８はその組立時における可撓管１７の横断面図であり、ケーブル６３、ライトガイド６４、送気送液管路分岐部４６が通過している様子を示している。
【００３０】
それらが可撓管１７内を通過した後、送液管路用チューブ４７が占めていたスペースに、処置具挿通管路２５を形成するチューブ状部材３８が挿入位置される（図７を参照）。このため、可撓管１７の内径は、図８で示すように、ケーブル６３、ライトガイド６４、送気送液管路分岐部４６が同時に配置できる大きさ、もしくは図７で示すように、ケーブル６３、ライトガイド６４、送気送液管路３３を形成するチューブ状部材３４、処置具挿通管路２５を形成するチューブ状部材３８が同時に配置できる大きさであれば良いので、可撓管１７の径を細くできる。
【００３１】
また、狭い操作部１２内に送気送液管路分岐部４６を配する場合、上記送気送液管路分岐部４６を別体にして取り付けるようとすると、例えばチューブ接続のために口金や締め付け固定用のナットなどを配するスペースが十分なく、組立が困難であったが、本実施形態のものでは、先端部１５の後端に、予め送気送液管路分岐部４６を取り付けた送気送液管用チューブ状部材３４、及び他の全ての内蔵物を取り付けた後、湾曲部１６及び可撓管１７に先端側より挿入し、組み立てることが可能なため、組立が簡単である。
【００３２】
（効果）
送気送液管路分岐部４６が可撓管１７内に位置しないので、その分、可撓管１７の径を細くすることができる。
また、従来と同様に先端部１５からの送気送液管路用チューブ状部材３４に送気送液管路分岐部４６を取り付けたまま組立が行えるため、別体とした送気送液管路分岐部が不要であり、組立が容易である。
【００３３】
＜第２実施形態＞
図９乃至図１２を参照して本発明の第２実施形態に係る内視鏡について説明する。付記２群の第１〜６において述べられた発明の実施形態を示したものである。
【００３４】
（構成）
本実施形態は、上記第１実施形態に係る内視鏡２での先端部１５の具体的な構成の一例のものである。図９はその先端部１５の縦断面図である。先端部１５の基体を構成する先端構成部材２７はその前面と周側面にわたり、電気的絶縁性の先端カバー２８で覆われている。先端カバー２８から先端構成部材２７にかけて設けられた複数の孔を利用して、観察用レンズ２２、固体撮像素子６８およびケーブル６３にて構成される撮像ユニット６９、照明用レンズ２１、照明用レンズ２１に後続したライトガイド６４が内嵌されている。その他にも、ここでは図示していないが、観察用レンズ２２の先端表面を洗浄するための洗浄用ノズル２３や処置具挿通孔３６等が設けられている。
【００３５】
先端構成部材２７の後部には湾曲部１６が接続されている。この湾曲部１６は、管状の互いに回動自由な複数の湾曲駒７１を連結した湾曲駒部組７２の外周にその全長にわたり網状のブレード７３を被せ、さらに、ブレード７３の外側に湾曲ゴム７４を被せて構成されている。この湾曲ゴム７４の先端は先端構成部材２７の外周にて糸状部材７５で締め付け固定されている。湾曲ゴム７４の基端は図示しない可撓管の外周にて同じく糸状部材で締め付け固定されている。
【００３６】
湾曲駒７１のうち最先端側に位置する最先端駒７１ａの内周には、上記牽引ワイヤー６１の先端が固定されており、術者が操作部１２の図示しない湾曲操作ノブを操作することにより、湾曲部１６を自由に湾曲することが可能である。
【００３７】
図１０で示す如く、上記ブレード７３の両端部には取付け用部材８０が半田にて固着され、ブレード７３と取付け用部材８０にて、ブレード部組８１を構成している。先端側に位置する取付け用部材８０にはその周方向に沿う長孔８２が形成され、後端側に位置する取付け用部材８０にはその軸方向の長孔８３が形成されている。
【００３８】
このような長孔８２及び長孔８３をそれぞれの取付け用部材８０に形成することにより、湾曲駒部組７２に対してブレード部組８１を被覆する組み付け時には、図１１及び図１２に示す如く、湾曲駒７１側に設けられたビス孔との相対位置を調整し、また、湾曲駒部組７２に対する軸方向の張り具合を調整し、さらには周方向のねじれなどの補正が可能なものとなっている。
【００３９】
図１１は、ブレード部組８１の先端部分が、湾曲駒７１に固定される様子を示している。すなわち、湾曲駒７１に設けられたビス８４が取付け用部材８０に設けられた周方向の長孔８２を貫いてねじ込まれている。長孔８２の幅は、ビス８４の頭部の径より小さくなっており、ブレード部組８１は周方向において長孔８２の長手方向の幅だけ調整してビス固定することができる。
【００４０】
図１２は、ブレード部組８１の手元端部が、湾曲駒部組７２に固定される様子を示している。取付け用部材８０には軸方向に長い長孔８３が設けられており、湾曲駒部組７２に対して長孔８３の幅間で軸方向の任意の位置でブレード部組８１を固定できる。そのため、湾曲駒部組７２に対して、ブレード７３を弛ませたり張った状態にするなど、自在に調整して取り付けることができる。
【００４１】
図１３は、上記湾曲部１６の取付け部を拡大して示す縦断面図である。後端の取付け用部材８０の長孔８３を通して、湾曲部１６の最後端に位置する最後端駒７１ｂに形成されたビス孔８６に通した上記ビス８４を締め付け、その取付け用部材８０を最後端駒７１ｂに取り付け固定する。この取付け用部材８０の先端側部分にはブレード７３を半田付けする半田固定部８７が設けられており、これより後端側に位置して上記長孔８３が配置されている。
【００４２】
最後端駒７１ｂと、これに隣り合う第２最後端駒７１ｃとはリベット８８を介して互いに回動可能に接続されており、両者により回動部８９を形成している。回動部８９が最大に回動したとき、最後端駒７１ｂと第２最後端駒７１ｃとが外周端面で互いに接触するように構成されている。図１４はその様子を示した図である。すなわち、取付け用部材８０の前側の端面である取付け用部材前端９０は、回動部８９が最大に回動した時に丁度第２最後端駒７１ｃの外周面に接触し始める位置にまで延出されるように突き出し形成されている。
【００４３】
（作用・効果）
取付け用部材８０には半田などでブレード７３を固定する半田固定部８７と、長孔８２，８３をあけるためのスペースが必要である。ブレード部組８１が固定される最後端駒７１ｂとそれと隣り合う第２最後端駒７１ｃとが最大に回動した際において、初めて第２最後端駒７１ｃの外周面に触れる位置まで、取付け用部材８０の前端を延出して形成することにより、各湾曲駒７１が回動することによる湾曲部１６の湾曲する機能を損ねること無く、取付け用部材８０の軸方向の長さを長くすることができる。また、取付け用部材８０の軸方向の長さが長いため、先端側には半田固定用部８７を、後端側では長孔８３を設けるスペースを十分に確保することができる。
【００４４】
特に、最後端駒７１ｂとそれと隣り合う第２最後端駒７１ｃとでの間の回動部８９は、通常、湾曲部１６が湾曲する際において、まず最初に湾曲し始めるところの回動部８９であるため、湾曲するために最後端駒７１ｂと第２最後端駒７１ｃの間の隙間である、いわゆる肩口が頻繁に開閉され、そのため、一般に、ブレード７３が上記肩口に入り込み湾曲駒７１の間に挟まれ、ブレード７３の破損に至りやすいというような問題があった。しかし、本実施形態の構造では、取付け用部材８０の前端部分が最後端の回動部８９より前方に位置しており、肩口にブレード７３が入り込みにくい構造であるので、ブレード７３の破損を防ぐことができる。
【００４５】
また、ブレード７３の取付け用部材８０の軸方向長さを長くすることにより、ブレード７３の取付け用部材８０への半田固定部８７と長孔８２，８３を設けるスペースが十分確保できる。そのため、半田固定部８７を避けて、ブレード部組８１の湾曲駒取付調整用の長孔８２，８３をあけることができるので、その加工が容易である。湾曲機能を損ねること無く、容易にブレード７３の湾曲駒７１への着脱を行うことが可能な湾曲部１６を提供することができる。
【００４６】
＜第３実施形態＞
図１５及び図１６を参照して本発明の第３実施形態に係る内視鏡について説明する。本実施形態は、上記内視鏡の挿入部内におけるライトガイド用ファイバーの保護方法に関する発明の実施形態を示したものである。
【００４７】
（構成）
本実施形態に係る内視鏡２においても上記したと同様に挿入部１１が構成される。図１５は湾曲部１５の縦断面図であり、この図１５で示すように、湾曲部１５内には、撮像ユニット６７に後続されるケーブル６３、洗浄用ノズル２３に後続される送気送液管路３３を形成するチューブ状部材３４、照明用レンズ２１に後続されるライトガイド６４、処置具挿通管路２５を形成するチューブ状部材３８、牽引ワイヤー６１が挿通する複数のパイプ状のワイヤーガイド６２等の内蔵物が配置されている。
【００４８】
図１６に示す如く、上記ライトガイド６４は多数の光ファイバー繊維を束ね、これの外周を、シリコンなどのチューブ９１で被覆して構成されている。ライトガイド６４の先端部分はパイプ状の口金９２の内部に挿入され、この口金９２を上記先端構成部材２７に固定することにより、ライトガイド６４を先端部１５に固定している。湾曲部１６内ではいわゆるテフロンなどの保護チューブ９３で被覆され、保護チューブ９３の先端は糸などで縛って上記口金９２上に固定されている。さらに、湾曲部１６内において上記保護チューブ９３の中途部は熱収縮チューブなどで形成され被覆物に密着した落込み防止チューブ９４の被覆がなされている。この落込み防止チューブ９４の後端は上記湾曲部１６と可撓管１７との接続部より前方に位置している。
【００４９】
図１５で示すように、ライトガイド６４の落込み防止チューブ９４の被覆部は隣り合ったワイヤーガイド６２の間の隙間よりも、その外径が大きくなっている。
【００５０】
（作用）
ライトガイド６４は落込み防止チューブ９４で被覆されて、その外径が大きくなっているので、湾曲部１６内では、ライトガイド６４の、挿入軸方向に垂直な面上の動きとしての移動スペースがなく、他の内蔵物と絡み合うことがない。また、ライトガイド６４と他の内蔵物の間の隙間も小さくなるため、ライトガイド６４と他の内蔵物にそれ以外の内蔵物が嵌まり込み、動かなくなったり押し潰されたりすることがなくなる。
【００５１】
また、従来、隣り合うワイヤーガイド６２の間に内蔵物が挟まれると、内蔵物の動きが規制されてしまい、湾曲時にライトガイド６４が前後に動いたりすることができず折れやすかったが、本実施形態では、ライトガイド６４の湾曲部１６内での外径が隣り合うワイヤー受６２の間の距離より大きいため、この間にライトガイド６４が挟まれることがなく、それが破損しにくい。
【００５２】
保護チューブ９３の上から、さらに別の、例えば熱収縮チューブなどの落込み防止チューブ９４で保護されることにより、圧迫力がかかった際のライトガイド６４の変形が小さくて済み、ファイバー繊維の折れを防ぐことができる。また、落込み防止チューブ９４で被覆されるのは湾曲部１６内のみなので、可撓管１７内はライトガイド６４の外径は小さくて済み、よって可撓管１７を太くする必要がない。
【００５３】
（効果）
本実施形態の構成によれば、可撓管１７は太くせずに、ライトガイド６４の外径を太くすることにより内蔵物の不要な移動を防ぎ、ライトガイド６４を形成するファイバー繊維の折れを防ぐことができる。
【００５４】
＜第４実施形態＞
図１７及び図１８を参照して本発明の第４実施形態に係る内視鏡について説明する。本実施形態は内視鏡の挿入部内におけるライトガイド用ファイバーの保護方法についてのものである。
【００５５】
（構成）
図１７は湾曲部１６の縦断面図である。湾曲部１６内にはケーブル６３、送気送液管路３３を形成するチューブ状部材３４、処置具挿通管路２５を形成する可撓性のチューブ状部材３８、第１ライトガイド１０１及び第２ライトガイド１０２の２本のライトガイドが内嵌されている。
【００５６】
各々のライトガイド１０１，１０２は、上記ライトガイド６４と同様、光ファイバー繊維をシリコンチューブ内に束ね、先端に金属パイプ製の口金９２を付けることにより構成されているが、湾曲部１６内ではさらにテフロン等の保護チューブ１０３，１０４により、それぞれ被覆されている。これらの保護チューブ１０３，１０４の前端は先端口金９２の外周に糸等で縛り付けられて固定されている。保護チューブ１０３，１０４の後端は湾曲部１６よりさらに後端側において、可撓管１７の内部領域まで延出している。つまり、図１８に示すように、第１ライトガイド１０１に被覆された第１の保護チューブ１０３の後端と、第２ライトガイド１０２に被覆された第２保護チューブ１０４の後端の位置は、挿入方向においてズラされており、第２保護チューブ１０４の後端が、第１保護チューブ１０３の後端から５０〜２００ｍｍ後端側に位置している。
【００５７】
（作用）
ライトガイド１０１，１０２は多数の光ファイバー繊維を束ねた上にシリコンチューブなどで被覆して形成されている。繊維本数が少ないと、束ねたライトガイド１０１，１０２の腰がなく、一旦曲げられると直線化しようとする力が弱い。
【００５８】
可撓管１１内に位置するライトガイド１０１，１０２においては、湾曲部１６が曲げられ、それに伴ってライトガイド１０１，１０２が前後に移動する際、曲げ強さが急激に変化する保護チューブ１０３，１０４の端に弛みが溜まってしまい、直線状に戻らない。ライトガイド１０１，１０２が隣り合った位置にある時、この弛み同士が絡まり、互いの前後方向への動きを規制してしまい、内視鏡の湾曲時にライトガイド１０１，１０２に張力がかかり折れが発生してしまっていた。また、弛みが互いに固定された状態でさらに曲げ力がかかり座屈折れに発展してしまっていた。
【００５９】
特に、近年内視鏡の細径化の要求により、ライトガイド１０１，１０２の繊維本数が削減されこの問題が顕著になっている。本実施形態では、互いに隣り合うライトガイド１０１，１０２の保護チューブ１０３，１０４の後端の位置を挿入軸方向においてズラしているので、弛みが発生する位置が互いに異なり、弛み同士が絡まることがない。そのためライトガイド１０１，１０２の動きが規制されず、ライトガイド１０１，１０２の折れを防ぐことができる。
【００６０】
（効果）
隣り合ったライトガイド１０１，１０２の保護チューブ１０３，１０４の端の位置を挿入軸方向においてズラすことにより、ライトガイド１０１，１０２の弛み位置を両者でズラすことができるので、弛み同士が絡まって動きが規制されるようなことがなく、ライトガイド１０１，１０２の折れを防ぐことができる。
【００６１】
＜第５実施形態＞
図１９及び図２０を参照して本発明の第５実施形態に係る内視鏡について説明する。本実施形態は、送気送液管路と、送気管路及び送液管路とを接続する送気送液管路分岐部の具体的な構造を示したものである。
【００６２】
（構成）
図１９は、上記送気送液管路分岐部４６の縦断面図である。この図１９で示すように、送気送液管路分岐部４６の前端には、前方より後方にかけて径が大きくなる方向にテーパのついた円錐状の口金部１１１が形成されている。この口金部１１１には送気送液管路３３を形成するチューブ状部材３４の後端が形成されている。上記口金部１１１の最先端の外径は、送気送液管路３３の内径よりも小さくなっており、その後に径が送気送液管路３３の内径よりも大きくなるようにテーパ状に広がっている。テーパ部の後ろ側にはネジ部１１２が設けられており、送気送液管路用チューブ状部材３４の後端部分が口金部１１１に接続される状態では、送気送液管路用チューブ状部材３４の内径が広げられて、口金部１１１に被せられ、その上にナット状の締め付け部材１１３で締め付けを行うことにより、送気送液管路用チューブ状部材３４を送気送液管路分岐部４６に水密に接続固定してある。
【００６３】
送気送液管路用チューブ状部材３４の前端は、上記先端構成部材２７に接続され、さらに先端構成部材２７の先端に位置する洗浄用ノズル２３に接続されていて、洗浄用ノズル２３を通じて送気及び送液を行うようになっている。
【００６４】
上記送気送液管路分岐部４６には前方の口金部１１１から後端まで直線的に貫通する孔によって連通する本体管路１１５が形成されている。本体管路１１５の後端側開口部にはパイプ状の送液管路接続部１１６がその送気送液管路分岐部４６と一体に設けられている。また、上記本体管路１１５の中途部からＬ字状に送気送液管路分岐部４６内を曲がり、送気送液管路分岐部４６の後端面の上記送液管路接続部１１６とは異なる位置に開口部を有する分岐管路１１７が作られている。この分岐管路１１７の開口部にもパイプ状の送気管路接続部１１８が一体に設けられている。そして、送液管路接続部１１６には送液管路用チューブ４７が接続され、送気管路接続部１１８には送気管路用チューブ４８が接続されている。送液管路用チューブ４７と送気管路用チューブ４８はいずれも操作部１２内に導かれており、操作部１２に設けられた送気送液切換え弁５０の送気送液シリンダ５１に接続されている。
【００６５】
（作用）
一般に、送気送液管路分岐部４６は、図２０で示す如く、パイプ状部材の中途部に、曲げられた別のパイプ状部材を接合して送気送液管路分岐部４６を形成していた。この形式の送気送液管路分岐部４６を内視鏡２に組み込む際には、先端部１５に接続されている送気送液管路用チューブ状部材３４と、操作部１２に接続されている送液管路用チューブ４７及び送気管路用チューブ４８に接続するために、送気送液管路分岐部４６の前方及び後方に、接続用の管路口金１２１を別に設けてやる必要があった。例えば、前方に向かってテーパ状になった管路口金１２１をチューブ類１２２を介して送気送液管路分岐部４６に接続し、送気送液管路分岐部４６の後方においてもチューブ類１２２を介して送気管路、送液管路とそれぞれ接続する管路口金１２１を設けなくてはならず、これでは挿入軸方向における送気送液管路分岐部４６の全長が長くなってしまっていた。送気送液管路３３などの管路を管路口金１２１に接続する際には、先に締め付け部材１１３を各管路に通しておき、その後、管路の端部を管路口金１２１のテーパ部が挿入できるよう広げて成型するため、締め付け部材１１３の逃げ部と成型部の軸方向の長さ分という組付けスペースが必要になる。操作部１２内に送気送液管路の分岐部４６を取り付ける際には、送気送液管路分岐部４６の全長が長すぎると、前述の組付けスペースが操作部１２内に十分に取れず、組立が困難であった。
【００６６】
しかし、本実施形態では、送気送液管路分岐部４６が一体的に口金部１１１及び接続部１１６，１１７を有しているので、送気送液管路分岐部４６全体の全長が短くて済み、送気送液管路分岐部４６の取付け作業の際にも前後に組付けスペースが十分取れ、組立が容易である。
【００６７】
（効果）
送気送液管路分岐部４６に口金部１１１及び接続部１１６，１１７を一体に設けることにより、送気送液管路分岐部４６への各管路の組み付けが容易である。
【００６８】
尚、送液管路用チューブ４７を接続する送液管路接続部１１６と、送気管路用チューブ４８を接続する送気管路接続部１１７を上下逆に利用する形態としても良い。
【００６９】
＜第６実施形態＞
図２１乃至図２４を参照して本発明の第６実施形態に係る内視鏡について説明する。本実施形態は、上記内視鏡２の挿入部１１における可撓管１７と操作部１２との接続部、操作部１２とユニバーサルコード１３との接続部、及びユニバーサルコード１３とコネクター６５の接続部における座屈を防止する座屈防止部の具体的な構造を示すものである。
【００７０】
（構成）
図２１で示す如く、内視鏡２の操作部１２と挿入部１１の可撓管１７との間の接続部位、操作部１２とユニバーサルコード１３との間の接続部位、ユニバーサルコード１３とコネクター６５との間の接続部の各々には座屈防止用部材１２３が取り付けられている。
【００７１】
これらの座屈防止用部材１２３は、図２２で示す如く、弾性部材にて形成された筒状の弾性部材１２４と操作部１２と、接続するためネジ部が設けられた接続部材１２５とを有してなる。弾性部材１２４は前方から後方にかけて径が大きくなる向きにテーパ状に形成されている。
【００７２】
以下、操作部１２と挿入部１１の可撓管１７との間の接続部位に関しての座屈防止用部材１２３を説明するが、他の接続部位に関しても、その構造は同じである。
【００７３】
弾性部材１２４、接続部材１２５共に、可撓管１７の挿入用の可撓管挿入孔１２６が前方から後方に貫通して設けられている。弾性部材１２４の外形はテーパ状に形成されているため、その弾性部材１２４の肉厚は前方から後方にかけて連続的に増加するように変化する。弾性部材１２４の側部には可撓管挿入孔１２６と外部とを連通させるスリット１２７が軸方向全長に渡り設けられている。接続部材１２５の側部にも周方向において上記スリット１２７と同じ位置に可撓管挿入孔１２６と外部を連通させる切欠き部１２８が設けられている。この切欠き部１２８の周方向の開口幅は上記可撓管１７の外径よりも大きい。
【００７４】
座屈防止用部材１２３の外部にはそれを覆うようにカバー１３１が装着されている。カバー１３１の側部にもカバースリット１３２が設けられている。図２３はカバー１３１の横断面図であるが、可撓管１７への装着時には座屈防止用部材１２３のスリット１２７及び切欠き部１２８と、カバー１３１に設けられたカバースリット１３２とは周方向の位置をズラして装着されている。カバー１３１は内視鏡２の可撓管１７に対し、弾性接着剤にて固定されている。スリット１２７及びカバースリット１３２の内面にも接着剤が塗布され、固定されている。
【００７５】
上記座屈防止用部材１２３の弾性部材１２５に設けられたスリット１２７は、図２４で示す如く、径方向の切れ目の中途部に周方向の切れ目を入れてもよく、この場合、可撓管１７を挿入した後、スリット１２７の内面に塗布する接着剤が周方向に、より剥がれにくい。
【００７６】
（作用）
従来の座屈防止部材は、可撓管１７或いはユニバーサルコード１３が挿入できるよう軸方向に貫通した孔が設けられたのみであった。そのため、操作部１２と可撓管１７の接続部分に用いる座屈防止部材１２３は、先端部１５を通過させた後、可撓管１７に取り付ける必要があり、可撓管１７よりも径の大きい先端部１５を有した場合、座屈防止部材１２３の内径を大きく広げなくてはならず、取り付けが困難であった。また、操作部１２とユニバーサルコード１３の間の座屈防止部材１２３の場合、ユニバーサルコード１３の末端に外径がユニバーサルコード１３の径よりはるかに大きいコネクター６５が接続される。このため、コネクター６５を組み付けた後、座屈防止部材１２３を交換するためには、コネクター６５の取り外しを行うなど、非常に困難な作業を伴っていた。
【００７７】
本実施形態では、座屈防止部材１２３の側部に弾性部材１２４にはスリット１２７を、接続部材１２５には切欠き部１２８を、両者が周方向の位置がほぼ同じ箇所になるように設けている。上記スリット１２７は弾性変形をして可撓管１７もしくはユニバーサルコード１３の外径より広がるので、座屈防止部材１２３の側部よりスリット１２７、切欠き部１２８を通過して可撓管１７もしくはユニバーサルコード１３は座屈防止部材１２３の挿入孔１２６に挿入できる。
【００７８】
ここで、先端部１５が可撓管１７より大きくても挿入孔１２６を大きく押し広げて先端から取り付けるような煩雑な作業を行う必要が無く、また、ユニバーサルコード１３側においても、コネクター６５を取り外すこと無く、容易に座屈防止部材１２３の取り外し、取り付けが行える。
【００７９】
（効果）
座屈防止部材１２３及びカバー１３１の側部より可撓管１７、ユニバーサルコード１３への取り付けを可能にすることにより、座屈防止部材１２３及びカバー１３１の修理交換を容易にできる。
【００８０】
＜第７実施形態＞
図２５を参照して本発明の第７実施形態を説明する。本実施形態は、内視鏡の挿入部におけるブレード部組を着脱可能な構造とした具体例である。
【００８１】
（構成）
図２５は、内視鏡の挿入部１１における先端部１５付近の縦断面図である。金属部材にて形成された先端構成部材２７の先端面には、樹脂などの電気的絶縁部材にて形成された先端カバー２８が取り付けられている。先端構成部材２７には、照明用レンズ２１、観察用レンズ２２や処置具挿通管路用チューブなどの複数の内蔵物が配されている。
【００８２】
先に図９で示した如く、先端構成部材２７の後端には湾曲部１６が接続されている。湾曲部１６は、互いに回動可能に連結して管状にした複数の湾曲駒７１により構成されている。湾曲駒７１は前述したと同様に金属線や化学繊維を網状に編組みしたブレード７３が被せられている（図１０を参照）。ブレード７３はその両端にリング状の取付け用部材８０を例えば半田にて固着させ、ブレード部組８１を構成している。そして、上記湾曲駒７１等に対してビスなどで取付け用部材８０を固定することにより、ブレード部組８１の湾曲部１６への取付けを着脱自在なものとしている。
【００８３】
ところで、上記先端カバー２８は、各々分割可能な側面カバー１４１と前面カバー１４２とからなる。前面カバー１４２は先端構成部材２７の前面の径とほぼ同一の径を有しており、一方、側面カバー１４１は前面カバー１４２の外径とほぼ同径の貫通孔１４３がその中央に設けている。
【００８４】
図２５に示す如く、側面カバー１４１及び前面カバー１４２を先端構成部材２７に取り付けた状態では、前面カバー１４２が丁度、側面カバー１４１の中央に位置して設けられた貫通孔１４３の孔部に密に嵌合される。
【００８５】
上記前面カバー１４２の外径は、上記湾曲部１６の取付け用部材８０の内径より小さく、側面カバー１４１の外径は取付け用部材８０の内径よりも大きい。  また、前面カバー１４２は、軟性な部材で形成され、側面カバー１４１は、硬質な部材にて形成されている。
【００８６】
（作用・効果）
前面カバー１４２の外径が取付け用部材８０の内径よりも径が小さいため、ブレード部組８１の交換時において、そのブレード部組８１を取り外す際に、上記先端カバー２８の側面カバー１４１のみを外し、前面カバー１４２を残して、前方よりブレード部組８１を取り外すことができる。
【００８７】
照明用レンズ２１や観察用レンズ２２が配置されている前面カバー１４２は、取り外す必要がないため、カバー等を外す際にレンズ等を傷つけてしまうことが無い。
【００８８】
また、前面カバー１４２は軟性であるため、衝撃がレンズに伝わるのを吸収できる。一方、側面カバー１４１は硬質であるため、衝撃を受けても傷つきにくい。
【００８９】
さらに、レンズを傷つけずに上記先端カバー２８の一部を外し、ブレード部組８１を交換できるので、修理が容易である。
【００９０】
本発明は前述した実施形態のものに限定されない。上記各実施形態の説明によれば少なくとも以下に列記する事項及びその任意の組み合わせの事項のものが得られる。
【００９１】
＜付記＞
（１群）
１．挿入部の先端部から操作部にわたり形成された、処置具を挿通させる処置具挿通用チャンネルと、
上記挿入部の先端部に設けられた観察用レンズと、
上記観察用レンズの外表面に対向して上記先端部に設けられた洗浄用ノズルと、
上記洗浄用ノズルに接続され、その洗浄用ノズルに気体及び液体を供給する一本の送気送液管路と、
上記送気送液管路に分岐部を介して接続された送気管路及び送液管路と、
上記送気管路及び送液管路から上記分岐部を通じて上記送気送液管路に送気・送液を行うようにした内視鏡において、
上記分岐部を上記処置具挿通用チャンネルの後端より手元側に位置して配置させたことを特徴とした内視鏡。
【００９２】
２．分岐部は、１本のパイプ状の部材を本体管路として構成し、その本体管路の中途側部に、湾曲したパイプ状部材にて形成された分岐管路の先端を接合し、手元側では本体管路と分岐管路の部分が互いにほぼ平行としたことを特徴とした第１項に記載の内視鏡。
【００９３】
３．分岐部を形成する分岐管路の部材の外径を、処置具挿通用チャンネルを形成する部材の外径以下の寸法としたことを特徴とした第２項に記載の内視鏡。
【００９４】
４．分岐部の本体管路と分岐管路の中心軸を含む平面上付近に、処置具挿通用チャンネルの中心軸を位置させたことを特徴とした第３項に記載の内視鏡。
【００９５】
５．分岐管路のある側に、処置具挿通用チャンネルの中心軸を位置させたことを特徴とした第４項に記載の内視鏡。
【００９６】
６．分岐部の分岐管路の軸と処置具挿通用チャンネルの軸とをほぼ同軸として配置したことを特徴とした第５項に記載の内視鏡。
【００９７】
第１〜３項のものは、前述した請求項１〜３と同じ作用がある。さらに、第４、５項での分岐部は、本体管路と分岐管路の複合断面を有するため略楕円状となる。分岐部の断面の長軸方向に処置具挿通チャンネルが位置するため、内蔵物の挿入時に、可撓管内の処置具挿通用チャンネルを形成する部材が占めたスペースに分岐管路が収まりやすい。また、第６項のものでは、分岐管路と処置具挿通用チャンネルが同軸を有す場合は、挿入軸に垂直な断面において、分岐部の分岐管路と処置具挿通用チャンネルの位置がほぼ等しくなり、第４、５項のものより、さらに内蔵物の挿入時に可撓管内の処置具挿通用チャンネルを形成する部材が占めたスペースに分岐管路が収まりやすい。
【００９８】
（２群）
１．挿入部に、複数の管状の湾曲駒からなる湾曲部を有し、この湾曲部は、ブレードの両端にリング状の取り付け用部材を固着して形成されたブレード部組を、複数の湾曲駒を互いに回動自由に連結した湾曲駒部組の両端に、着脱自在に固定して形成した内視鏡において、
軸方向における上記取付け用部材の端部の位置を、最端駒と、最端駒に隣り合う第２最端駒で形成される最端回動部が最大に湾曲した際に、上記第２最端駒の外周と上記取り付け用部材の内周とが初めて接触する位置付近まで延出させたことを特徴とした内視鏡。
【００９９】
２．軸方向における取付け用部材の前端の位置を、最後端駒と最後部から２番目の位置にある第２最後端駒で形成される最後端回動部が最大に湾曲した際において、上記第２最後端駒の外周と上記取り付け用部材の内周とが初めて接触する位置付近まで延出させたことを特徴とした第１項に記載の内視鏡。
【０１００】
３．取付け用部材の前端の位置は、最後端回動部より前側に位置させたことを特徴とした第１項に記載の内視鏡。
【０１０１】
４．湾曲駒部組の寸法に合わせて、ブレード部組の固定位置を調整する手段を設けたことを特徴とした請求項１、２、３に記載の内視鏡。
【０１０２】
５．取付け用部材に軸方向の長孔を設けたことを特徴とした請求項４に記載の内視鏡。
【０１０３】
６．取付け用部材は、ブレードに半田にて固着させたことを特徴とした請求項１、２、３、４、５に記載の内視鏡。
【０１０４】
（２群の従来例）
一般に、内視鏡の挿入部は、手元側から順に軟性の可撓管、湾曲部、及び先端部を連結して成り、このうち湾曲部は、複数の管状の湾曲駒を互いに回動自由に連結した湾曲駒部組の外周に、金属もしくは化学繊維等を編んで筒状に形成したブレードを被覆して形成されている。
【０１０５】
特開平４−３５７９２１号公報では、湾曲管部組に被覆するブレード部組が着脱できるようにした内視鏡が示されている。
【０１０６】
（２群の課題）
従来は、ブレード部組の前後端に半田付けなどの方法でリング状の取付け用部材を固着し、この取付け用部材を湾曲駒部組の先端部及び後端部にビスなどで固定し、ブレード部組を着脱可能にしていた。また、取付け用部材には軸方向もしくは周方向に長い長孔が設けられ、湾曲管用芯材側の取付け孔との相対位置を調整することにより、湾曲管用芯材に対するブレードの張り、捻じれを調整可能としていた。上記長孔は取付け用部材を半田等でブレードに固着した後、加工していたが、この時、上記取付け用部材の軸方向に関しては、半田での固定部と長孔を空けるスペースとが必要となり、十分長さが取れない場合、半田を避けて長孔をあけるため加工が困難であったり、調整に十分な長孔を空けられないという問題があった。
【０１０７】
（２群の作用）
第１、２項の作用：複数の湾曲可能な回動部を有す湾曲部の、最端駒と、最端駒から２番目の第２最端駒で形成される最端回動部が最大に湾曲した際に、第２最端駒の外周と取付け用部材の内周とが初めて接触する位置まで、上記取付け用部材の軸方向の長さを伸ばすことにより、取付け用部材上にブレード固定用スペースと、ビス孔などの湾曲駒への取付け手段を設けるスペースとを容易に確保できる。そのため、ブレードは湾曲駒部組に対して容易に着脱可能であるし、最端回動部が最大に可動するまで、第２最端駒の外周と取付け用部材との内周が接触しないので、湾曲機能を損ねることがない。
【０１０８】
第３項の作用：第１、２項の作用に加え以下の作用を有する。最後端回動部の湾曲する頻度は最も高いが、取付け用部材がこの最後端回動部より前側に位置するため、ブレードが軟性を有すのは、最後端回動部より前側のみとなり、最後端回動部に形成される最後端駒と第２最後端駒の隙間であるいわゆる肩口にはブレードの軟質部がほぼかかることが無い。よって、肩口へのブレードの落ち込みを防ぐことができ、ブレードの破損を防ぐことができる。
【０１０９】
第４、５項の作用：  第１、２項の作用に加え以下の作用を有する。湾曲駒部組に対して、ブレード部組の弛み、捻じりを、取付け部材の取付けを調整することにより、無くすことができる。よって、ブレードが肩口へ落ち込んだり、無用な張力がかかることを避け、ブレードの破損を防ぐことができる。湾曲部組に対して、ブレードを張り過ぎて湾曲角度が不十分になってしまうこともない。
【０１１０】
第６項の作用：ブレードを半田にて取付け部材に固着させるので、加工も容易で、十分な取付け強度も得られる。
【０１１１】
（２群の効果）
第１、２項の効果：加工を困難にすることなく、ブレード部組を湾曲駒部組に対し、着脱自在にできる。
第３項の効果：第１、２項の効果に加え、ブレードの肩口への落ち込みを防ぎ、破損を防ぐことができる。
第４、５項の効果：第１〜３項の効果に加え、所望の湾曲部の機能、耐性を容易に得られる。
第６項の効果：請求項１〜５の効果に加え、容易かつ十分な強度をもって、ブレードを固定できる。
【０１１２】
【発明の効果】
以上説明したように本発明によれば、送気管路と送液管路の分岐部の組み立てが容易であり、これらを組み込む挿入部の細径化を図ることができる内視鏡を提供することにある。
【図面の簡単な説明】
【図１】本発明の第１実施形態に係る内視鏡システムを概念的に示す説明図。
【図２】上記システムの内視鏡の先端部を前方より見た正面図。
【図３】図２中のＪＤＫＬに沿う部分の縦断面図。
【図４】図２中のＯＭに沿う部分の縦断面図。
【図５】上記内視鏡の操作部内に組み込まれる各種の管路の配管構造の説明図。
【図６】上記内視鏡の操作部内に配置される送気送液管路分岐部の縦断面図。
【図７】上記内視鏡の挿入部の可撓管の途中部分の縦断面図。
【図８】上記内視鏡の挿入部の組立て時における可撓管の途中部分の縦断面図。
【図９】第２実施形態に係る内視鏡の先端部の縦断面図。
【図１０】上記内視鏡に組み込むブレード部組の斜視図。
【図１１】上記ブレード部組の前端の組付け状態の外観図。
【図１２】上記ブレード部組の後端の組付け状態の外観図。
【図１３】上記内視鏡の湾曲部の取付け部を拡大して示す縦断面図。
【図１４】上記内視鏡の湾曲部の最後端駒と、これに隣り合う第２最後端駒とが回動部を介して最大に回動したときの最後端駒と第２最後端駒の様子を示した説明図。
【図１５】本発明の第３実施形態に係る内視鏡の挿入部における湾曲部の縦断面図。
【図１６】上記内視鏡のライトガイドの斜視図。
【図１７】本発明の第４実施形態に係る内視鏡の挿入部における湾曲部の縦断面図。
【図１８】上記内視鏡の挿入部内に配置されるライトガイドの配置状態の説明図。
【図１９】本発明の第５実施形態に係る内視鏡の送気送液管路分岐部の縦断面図。
【図２０】一般的な送気送液管路分岐部の側面図。
【図２１】本発明の第６実施形態に係る内視鏡の外観図。
【図２２】本発明の第６実施形態に係る座屈防止用部材の組付け手順の説明図。
【図２３】本発明の第６実施形態に係る座屈防止用部材の組付け部の縦断面図。
【図２４】座屈防止用部材の変形例のものの縦断面図。
【図２５】本発明の第６実施形態に係る内視鏡の先端部の縦断面図。
【符号の説明】
２…内視鏡、１１…挿入部、１２…操作部、１５…先端部、
１６…湾曲部、１７…可撓管、２２…観察用レンズ、２３…洗浄用ノズル、
２５…処置具挿通管路、３３…送気送液管路、３４…チューブ状部材、
３８…可撓性のチューブ状部材、３９…吸引管路分岐部、
４１…吸引管路用チューブ、４２…処置具挿入口、４６…送気送液管路分岐部、
４７…送液管路用チューブ、４８…送気管路用チューブ。
【図１】
0003678614.tif 000002
【図２】
0003678614.tif 000003
【図３】
0003678614.tif 000004
【図４】
0003678614.tif 000005
【図５】
0003678614.tif 000006
【図６】
0003678614.tif 000007
【図７】
0003678614.tif 000008
【図８】
0003678614.tif 000009
【図９】
0003678614.tif 000010
【図１０】
0003678614.tif 000011
【図１１】
0003678614.tif 000012
【図１２】
0003678614.tif 000013
【図１３】
0003678614.tif 000014
【図１４】
0003678614.tif 000015
【図１５】
0003678614.tif 000016
【図１６】
0003678614.tif 000017
【図１７】
0003678614.tif 000018
【図１８】
0003678614.tif 000019
【図１９】
0003678614.tif 000020
【図２０】
0003678614.tif 000021
【図２１】
0003678614.tif 000022
【図２２】
0003678614.tif 000023
【図２３】
0003678614.tif 000024
【図２４】
0003678614.tif 000025
【図２５】
0003678614.tif 000026